(57)【要約】【課題】本発明の課題は、エンドピンの先端に被せられるキャップがたとえ回転したとしても、エンドピンとキャップとが浮き上がったりすることのない取付構造を提供することにある。【課題を解決するための手段】本発明のエンドピンのキャップ取付構造は、エンドピン１０と、該エンドピン１０の他端部１２の先端１６及び先端軸部１７に被せられる穴を有するキャップ２２とを備え、前記エンドピン１０の前記キャップ２２が被せられる他端部１２の先端軸部１７に周方向に形成された溝２０又は凸条（４８）と、該エンドピン１０の他端部１２の先端軸部１７に被せられる前記キャップ２２の穴に設けられた前記溝２０又は凸条（４８）と係脱可能に係合させられる係合手段（２８、５２）とを備えたことにある。【選択図】図１
2020095207.tif 000002
【特許請求の範囲】
【請求項１】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの前記キャップが被せられる他端部の先端軸部に周方向に形成された溝又は凸条と、該エンドピンの他端部先端軸部に被せられる前記キャップの穴に設けられた前記溝又は凸条と係脱可能に係合させられる係合手段と
を備えたエンドピンのキャップ取付構造。
【請求項２】
前記係合手段は、前記キャップの穴に入れられる筒状体に設けられた請求項１に記載のエンドピンのキャップ取付構造。
【請求項３】
前記係合手段は、前記キャップの穴又は該穴に設けられた筒状体の内周面に弾性部材を設けた請求項２に記載のエンドピンのキャップ取付構造。
【請求項４】
前記係合手段は、前記エンドピンの拡径部又はキャップの穴部に設けた永久磁石である請求項２に記載のエンドピンのキャップ取付構造。
【請求項５】
前記請求項１から４までのいずれか１項に記載のエンドピンのキャップ取付構造を用いた楽器。
【発明の詳細な説明】
【技術分野】
【０００１】
本発明は、大型楽器に用いられるエンドピンのキャップ取付構造とそれを備えた楽器に関する。
【背景技術】
【０００２】
エンドピンは、コントラバスやチェロなどの弦楽器やバスクラリネットなどの木管楽器などの大型楽器に使用される。たとえば、コントラバスを例にすると、図１０に示すように、エンドピン１００は、床１０２に立てて楽器を支える金属製の棒状部材で、大型楽器の下端部（尾部）１１４に着脱可能に取り付けられる。エンドピン１００は、楽器を床１０２から離して演奏しやすい位置に支える役割以外に、振動（音）を床に伝えて響きを増幅させる役割を持つ重要な部品である。このエンドピン１００は、演奏者の身長（座高）や演奏スタイルなどに合わせて、長さの調節が必要であるため、伸縮できるように固定具によって固定するようになっている。
【０００３】
従来から提供されている長さ調節が可能なエンドピンの固定具には２種類があるが、そのうちの一例を図１１に基づいて説明する。固定具は、エンドピン１００と本体固定部材１０４とから構成されている。エンドピン１００は、軸部１０８の一端が楽器本体の下端部１１４に収納され、他端が楽器本体を床に立てるために尖った形状をした先端部１１２を備えて構成されている。エンドピン１００の軸部１０８には、環状凹部１２４が軸方向に等間隔に形成されていて、楽器本体の下端部１１４からエンドピン１００が突出する長さを規定し且つ係合し得るように構成されている。
【０００４】
軸部１０８の先端部１１２には、雄ネジが形成されていて、その雄ネジに螺合される雌ネジが設けられたゴムキャップ１１３が螺着されている。ゴムキャップ１１３は、床面を保護する目的の他、床面に伝わる振動を抑えるなどにより音響効果を変化させるために設けられる。本体固定部材１０４は、エンドピン１００の軸部１０８が貫通させられる貫通孔１１６と、エンドピン１００の軸部１０８を所望の位置で締結される締結具１１８と、楽器本体の下端部１１４に着脱可能に固定される楽器固定部１２２を備えている。締結具１１８は、貫通孔１１６に対して直角方向に形成された雌ネジ１２６と、その雌ネジ１２６に螺合される雄ネジ部材１２８とから構成されている。この雄ネジ部材１２８の先端部が軸部１０８に形成された環状凹部１２４に嵌まり込むことによって、エンドピン１００と本体固定部材１０４とが強固に固定される。
【０００５】
かかる構成のエンドピン１００を用いて楽器たとえばコントラバスを演奏しているとき、コントラバスを左右に動かしたり回転させたりして、パフォーマンスをすることもある。そのようなとき、ゴムキャップ１１３を中心に楽器を回転させることになる。すると、ゴムキャップ１１３と床１０３との摩擦により、ゴムキャップ１１３が先端部のネジで緩み、次第にゴムキャップ１１３と先端部１１２との間に隙間ができてしまい、エンドピン１００の長さが変わってしまうだけでなく、噛み合っているネジ部分でガタツキが生じて不安定になることがあった。このような事態は、奏者にとって非常に演奏しづらいものとなる。なお、エンドピンのキャップに関する先行技術文献は見いださなかった。
【先行技術文献】
【非特許文献】
【０００６】
【非特許文献１】https://ja.wikipedia.org/wiki/エンドピン
【非特許文献２】https://contrabass.net/blog/endpin/
【発明の概要】
【発明が解決しようとする課題】
【０００７】
上記した問題に鑑み、本発明の課題は、エンドピンの先端に被せられるキャップがたとえ回転したとしても、エンドピンとキャップとが浮き上がったりすることのない取付構造を提供することにある。
【課題を解決するための手段】
【０００８】
本発明に係るエンドピンのキャップ取付構造は、楽器本体の下部に取り付けられて一端部が楽器本体の内部に収納され、他端部の先端が床面に接して該床面に振動を伝えると共に楽器本体を支持するエンドピンと、該エンドピンの他端部の先端及び先端軸部に被せられる穴を有するキャップとを備え、
前記エンドピンの前記キャップが被せられる他端部の先端軸部に周方向に形成された溝又は凸条と、該エンドピンの他端部の先端軸部に被せられる前記キャップの穴に設けられた前記溝又は凸条と係脱可能に係合させられる係合手段とを備えたことにある。
【０００９】
また、本発明に係るエンドピンのキャップ取付構造において、前記係合手段は、前記キャップの穴に入れられた筒状体に設けられることにある。
【００１０】
また、本発明に係るエンドピンのキャップ取付構造において、前記係合手段は、前記キャップの穴又は該穴に設けられた筒状体の内周面に弾性部材を設けたことにある。
【００１１】
また、本発明に係るエンドピンのキャップ取付構造において、前記係合手段は、前記エンドピンの拡径部又はキャップの穴部に設けた永久磁石であることにある。
【００１２】
本発明に係る楽器は、上記エンドピンのキャップ取付構造を用いて構成される。
【発明の効果】
【００１３】
本発明に係るエンドピンのキャップ取付構造は、キャップが被せられるエンドピンの他端部に周方向の溝又は凸条が形成され、一方、キャップには溝又は凸条と係合させられる係合手段によって係合させられるため、両者は周方向に動くことができても、軸方向に動くことはできない。したがって、エンドピンの軸を中心に回転することができたとしても、軸方向に移動することができないため、エンドピンの長さが変化することはない。
【図面の簡単な説明】
【００１４】
【図１】（ａ）は本発明に係るエンドピンの先端部を示す図、（ｂ）はキャップの断面図、（ｃ）はエンドピンの先端部にキャップを被せた断面図である。
【図２】本発明に係るエンドピンのキャップ取付構造の他の実施例を示す図であり、（ａ）は要部拡大説明図、（ｂ）はキャップの拡大平面図である。
【図３】本発明に係るエンドピンのキャップ取付構造の他の実施例を示す図であり、（ａ）は本実施例に用いられるエンドピンの先端部を示す図、（ｂ）はキャップに圧入する筒状体の断面図、（ｃ）は筒状体の平面図、（ｄ）はエンドピンの先端に筒状体が圧入されたキャップを被せた断面図である。
【図４】本発明に係るエンドピンのキャップ取付構造の他の実施例を示す図であり、（ａ）は本実施例に係るエンドピンの先端部を示す図、（ｂ）はキャップの断面図、（ｃ）はエンドピンの先端部にキャップを被せた断面図である。
【図５】本発明に係るエンドピンのキャップ取付構造の他の実施例を示す図であり、（ａ）は本実施例に係るキャップの断面図、（ｂ）はエンドピンの先端部にキャップを被せた断面図である。
【図６】本発明に係るエンドピンのキャップ取付構造の他の実施例を示す図であり、（ａ）は本実施例に係るエンドピンの先端部を示す図、（ｂ）はキャップの断面図である。
【図７】本発明に係るエンドピンのキャップ取付構造の他の実施例を示す図であり、（ａ）は本実施例に係るエンドピンの先端部を示す図、（ｂ）はキャップの要部断面図、（ｃ）は他の実施例に係るキャップの要部断面図、（ｄ）は更に他の実施例に係るキャップの要部断面図である。
【図８】本発明に係るエンドピンのキャップ取付構造の更に他の実施例を示す図であり、（ａ）は本実施例に係るエンドピンの先端部を示す要部断面図、（ｂ）はキャップの要部断面図である。
【図９】本発明に係るエンドピンのキャップ取付構造の更に他の実施例を示す要部断面図である。
【図１０】エンドピンをコントラバスに取り付けた状態を示す図である。
【図１１】従来のエンドピンの固定具とキャップ取付構造を示す要部断面図である。
【発明を実施するための形態】
【００１５】
本発明に係るキャップが取り付けられたエンドピンは、公知の固定具を用いて楽器本体の下部に取り付けられる。固定具の形式が従来技術として説明した図９に示すタイプの場合は、エンドピンには環状凹部が形成されているが、他の図示しないタイプの固定具の場合のエンドピンには、環状凹部がなく、ストレートを成している。本発明に係るキャップ取付構造はいずれのタイプのエンドピンに対しても適用できる。エンドピンの取付具の構造は、従来構造でも良く、また本願出願人・発明者による新規な構造の取付具（特願２０１８−１９９００５号）であっても良く、限定されない。
【００１６】
次に、本発明に係るエンドピンのキャップ取付構造について、種々の実施形態を説明する。
【００１７】
先ず図1（ａ）に示すように、エンドピン１０は、一端部と他端部を備え、図示を省略した一端部が取付具を介して楽器本体に収納され、他端部１２が床面１４に立てられる先端１６及び先端軸部１７を含んで構成される。他端部１２の先端１６は円錐状を成し、楽器がエンドピン１０を介して床面１４に立てられたとき、床面１４を滑らないようにされると共に、楽器からの振動が床面１４に伝わりやすいように構成されている。エンドピン１０の他端部１２には、エンドピン１０の軸径と同径の先端軸部１７を備え、この先端軸部１７よりも径の大きい拡径部１８が設けられている。この拡径部１８は、エンドピン１０が取付具の孔などを介して楽器の中に入り込むのを防ぐためのものである。拡径部１８は、エンドピン１０の製造時に同時に削り出して一体的に形成しても良いが、エンドピン１０の軸径（先端軸部１７）と同一又は若干小径の孔の開いたリング部材を別途形成し、エンドピン１０の先端１６に焼き嵌めや圧入で所定位置に設けても良い。エンドピン１０の他端部１２の先端軸部１７には、周方向に溝２０が形成されている。溝２０は、後述するキャップ２２が落下したりしないように係止するためのものである。
【００１８】
エンドピン１０の他端部１２の先端１６及び先端軸部１７には、図１（ｃ）に示すように、キャップ２２が被せられていて、このキャップ２２を外すと、エンドピン１０と一体的に形成された尖った形状の先端１６と先端軸部１７が現れる。楽器の演奏形態によっても異なるが、通常、エンドピン１０にキャップ２２を付けたまま楽器の演奏に使用される。キャップ２２は、同図（ｂ）に示すように、キャップ２２に形成された穴の内側に金属製などからなる筒状体２４を設けると共にその筒状体２４に内周溝２６を設け、更にその内周溝２６にリングスプリング（スナップリング）２８を配設する。筒状体２４の内径は、エンドピン１０の先端軸部１７がスムーズにガタツキがない程度の大きさとされる。筒状体２４の長さは、挿入されるエンドピン１０の先端１６及び先端軸部１７の長さよりも長ければ良い。筒状体２４の内周溝２６の位置は、エンドピン１０の先端軸部１７に形成した周方向の溝２０と対向する位置に設けられる。筒状体２４はキャップ２２の穴に圧入されたり、筒状体２４の外面とキャップ２２の穴の内面に接着剤を塗布し、両者を強固に接着されても良い。
【００１９】
リングスプリング２８は断面円形のバネ鋼などによって製造されていて、リングの一部が切断されたC字状を成している。したがって、筒状体２４に嵌め込まれたリングスプリング２８は、径方向に拡径しまた収縮し得るようにされている。したがって、同図（ｃ）に示すように、キャップ２２の筒状体２４にエンドピン１０の先端１６及び先端軸部１７を挿入すると、リングスプリング２８は一旦径方向に広げられた後、溝２０に嵌まり、縮径する。その結果、人為的にエンドピン１０とキャップ２２とを強く引っ張らないと、両者は外れない。また、キャップ２２はリングスプリング２８に沿ってエンドピン１０に対して周方向に回転し得るが、その回転に伴ってキャップ２２とエンドピン１０の先端軸部１７との取り付け位置が変わることはなく、キャップを含むエンドピンの軸部の長さが変わることはない。
【００２０】
以上の構成において、エンドピン１０の先端１６及び先端軸部１７にキャップ２２を被せて楽器の演奏に用いるとき、エンドピン１０の接地はキャップ２２を介しており、楽器からの振動や楽器の動きはキャップ２２に全て伝わる。その結果、エンドピン１０とキャップ２２とは相対的に回転させられることもあるが、キャップ２２はリングスプリング２８の方向、すなわちエンドピン１０の周方向に動くことになるが、軸方向に動くことはない。したがって、キャップ２２とエンドピン１０との軸方向の距離が変わることはないので、演奏上のトラブルが生じることはない。
【００２１】
なお、エンドピン１０の材質は、スチール、カーボン、チタン、真鍮、タングステンなどや、これらの組み合わせなどからなるのが好ましい。エンドピン１０の材質は、楽器からの音の振動を伝える役割もあり、どのような材質を選ぶかにより、高さ、強さ、音色を含む音響効果に影響を及ぼすものであり、適宜選定される。エンドピン１０の長さや軸径などは楽器の種類によっても異なり、限定されない。
【００２２】
また、キャップ２２の材質は、ゴムや樹脂などからなるのが好ましい。キャップ２２は床面１４に対して滑り止めとして作用するだけでなく、振動を伝えるのを抑制する作用がある。振動の伝わり方が小さくなり過ぎると、楽器の音が小さくなりすぎて好ましくない。そこで、演奏目的に応じてキャップ２２の材質を変更するのが好ましく、例えば演奏会等に対しては、硬質ゴムが用いられる。また、キャップ２２の材質として、真鍮などの金属を用いることも可能である。キャップ２２の材質が金属である場合、筒状体２４を用いないで、直接キャップ２２の穴にリングスプリング２８を配設する内周溝２６を形成しても良い。また、キャップ２２の材質が金属である場合、キャップ２２の接地部分に厚みの薄いゴムなどを張り付けて、滑り止めとするのが好ましい。なお、キャップ２２の外観形状は、図示した形状に限らず如何なる形状であっても良い。
【００２３】
以上、本発明に係るエンドピンのキャップ取付構造について、１実施形態を説明したが、本発明はかかる実施形態に限定されるものではない。
【００２４】
例えば上述の実施形態では断面円形のリングスプリング２８を用いていたが、図２（ａ）（ｂ）に示すように、断面角型で、エンドピン１０の先端１６及び先端軸部１７が挿抜される側の角部に、傾斜面３０を設けたＣ字状リング３２で構成しても良い。Ｃ字状リング３２は、キャップ２２の穴に圧入された筒状体２４に形成された内周溝３４に収納されていて、内周溝３４に収納されている側の形状は角形状をしている。したがって、エンドピン１０の先端１６及び先端軸部１７を筒状体２４のＣ字状リング３２を介して挿抜させるとき、Ｃ字状リング３２が内周溝３４から抜け出ることはない。すなわち、エンドピン１０の先端１６及び先端軸部１７を筒状体２４に挿し込むとき、Ｃ字状リング３２は三角錐形状を成す先端１６と傾斜面３０とが噛み合ってＣ字状リング３２を押し広げてエンドピン１０の先端軸部１７に乗って進み、溝２０に嵌まり込んで、固定される。また、キャップ２２をエンドピン１０から抜くとき、キャップ２２をエンドピン１０の軸方向に強く引っ張ると、エンドピン１０の溝２０の角部とＣ字状リング３２の傾斜面３０とが噛み合ってＣ字状リング３２を押し広げてエンドピン１０の先端軸部１７に乗って進み抜け出る。Ｃ字状リング３２は、断面が角形状をしていて断面二次モーメントが大きいため、エンドピン１０の溝２０に嵌まり込んでいるとき、容易に径方向に広がらないので、溝２０とＣ字状リング３２との係合が容易に解除されることはない。なお、Ｃ字状リング３２の材質は、金属に限らず樹脂でも良い。
【００２５】
本例におけるＣ字状リング３２と溝２０との係合や、前述のリングスプリング２８と溝２０との係合は、隙間が発生する。また、Ｃ字状リング３２が収納されている内周溝３４との間や、リングスプリング２８が収納されている内周溝２６との間には隙間がある。このような隙間があると、楽器からの振動によってリングスプリング２８やＣ字状リング３２が内周溝２６，３４や溝２０の中で振動してしまい、異音を発生する可能性がある。そこで、例えばリングスプリング２８と内周溝２６との間や、Ｃ字状リング３２と内周溝３４との間に粘着剤のような軟粘性樹脂素材などを充填するのが好ましい。軟粘性樹脂素材によりＣ字状リング３２の振動が抑制され、異音の発生がなくなる。
【００２６】
次に、リングスプリング２８やＣ字状リング３２に代えて、これらを筒状体２４と一体的に形成することも可能である。たとえば、図３（ａ）に示すように、エンドピン１０の他端部１２に設けた拡径部１８の先端軸部１７側の根元に周方向の溝３６を設ける。一方、同図（ｂ）及び（ｃ）に示すように、エンドピン１０の先端１６及び先端軸部１７に被せられる筒状体３８の一端内周面に突き出すように係合凸部４０を設け、更に筒状体３８の一端に軸方向に複数のスリット４２を設ける。筒状体３８は、例えば円筒部材を切削して形成するときに、係合凸部４０を同時に形成するのが好ましいが、鍛造により筒状体の端部を押しつぶして係合凸部４０を形成することも可能である。この筒状体３８は同図（ｄ）に示すように、キャップ２２の穴に軸方向に圧入される。かかる構成において、エンドピン１０の先端１６及び先端軸部１７がキャップ２２に圧入された筒状体３８に挿入されるとき、エンドピン１０の先端１６の傾斜面が筒状体３８の係合凸部４０を径方向に押し広げ、更に押し込むと、先端軸部１７に形成された溝３６に係合凸部４０が嵌まり込んで係合させられる。また、逆に、エンドピン１０とキャップ２２とを引き離す方向に引っ張ることにより、筒状体３８の係合凸部４０は溝３６の角部に押し広げられ、係合から脱することになる。
【００２７】
筒状体３８のスリット４２は、係合凸部４０が径方向に広がるのを許容すると共に、収縮するのを許容するためのものである。スリット４２の長さが短いと、係合凸部４０が径方向に十分に広がらない恐れが生じ、また、スリット４２の長さが長すぎると、係合凸部４０と溝３６との係合が弱くなる可能性がある。適切なスリット４２の長さは、筒状体３８の厚み、内径又は外径との関係、スリット４２の本数などで定まり、実験等によって求められるのが好ましい。なお、キャップ２２がゴムや樹脂により形成されている場合、筒状体３８の係合凸部４０が径方向に広げられるとき、キャップ２２の穴の径も同時に広げられることになる。この構成により、キャップ２２は、先端軸部１７の溝３６に沿って周方向に回転し得るが、軸方向に移動することはない。
【００２８】
上述の実施例はいずれもエンドピン１０の先端軸部１７に周方向の溝２０，３６を設け、その溝２０，３６にリングスプリング２８やＣ字状リング３２あるいは係合凸部４０などの係合手段を係合させるように構成していたが、その逆の構成とすることも可能である。例えば、図４（ａ）に示すように、エンドピン４４の先端軸部４６に周方向に突出した凸条４８を設ける。一方、同図（ｂ）に示すように、キャップ２２の穴に配設される筒状体５０には、前記凸条４８に対応する位置に内周溝５２を形成すると共に、筒状体５０の軸方向にスリット５４を形成する。かかる構成のエンドピン４４の先端軸部４６に、上記筒状体５０を備えたキャップ２２を被せる。キャップ２２の筒状体５０はエンドピン４４の先端軸部４６に形成された凸条４８に当接した後、更に押し込むと、筒状体５０はスリット５４によって径方向に広がり、凸条４８に乗り上げて、更に押し込むと、凸条４８と内周溝５２とが係合させられる（同図（ｃ）参照）。なお、スリット５４の作用は前述の実施形態と同様である。この構成により、キャップ２２は、筒状体５０の内周溝５２に沿って先端軸部４６の凸条４８の周方向に回転し得るが、軸方向に移動することはない。
【００２９】
次に、図５（ａ）に示すように、キャップ２２の穴に圧入される筒状体５６の内周面に、表面の滑り性の悪い軟質ゴム又は樹脂からなる弾性部材５８を筒状に設ける。筒状の弾性部材５８の内径は、エンドピン１０の先端軸部１７の外径より若干小さめに設定される。弾性部材５８の内面は平坦でも良いが、波打った形状とすることも可能である。弾性部材５８の波打った形状は、周方向に波打っていても良いが、図５に示すように軸方向に波打っていても良い。弾性部材５８の表面形状が波打っている場合、山径と谷径の中間値からなる内径がエンドピン１０の先端軸部１７の外径とほぼ同じになるように形成されるのが良い。一方、同図（ｂ）に示すように、エンドピン１０の先端軸部１７の外形には、周方向に１条又は複数条の外周溝６０を設けておき、このエンドピン１０の先端軸部１７に同図（ａ）に示すキャップ２２の弾性部材５８を被せる。複数条の外周溝６０を形成する場合、外周溝６０は等間隔に形成しても良いし、不等間隔に形成しても良い。キャップ２２の弾性部材５８に挿入されたエンドピン１０の先端軸部１７は弾性部材５８と密着し、且つエンドピン１０の先端軸部１７に形成された外周溝６０の中に弾性部材５８が入り込む。弾性部材５８の表面が軸方向に波打っている場合は、弾性部材５８の山が外周溝６０に入り込む。エンドピン１０の先端軸部１７と弾性部材５８とが密着することによって、両者は容易に分離（離脱）することはない。さらに、弾性部材５８の一部が外周溝６０に嵌まり込むことによって、一層分離（離脱）することはなくなる。
【００３０】
また、図示を省略するが、エンドピン１０の先端軸部１７の外径について、拡径部１８の根元の外径を若干細くし、三角錐を成す先端部に行くほど太くした、逆テーパ形状とすることも可能である。このようにすれば、弾性部材５８によるエンドピン１０の先端軸部１７への締付力の分力は拡径部１８方向に作用することになるので、楽器の演奏に伴う振動や楽器の動きによって、キャップ２２が外れることはない。
【００３１】
次に、本発明の他の実施形態として、図６（ａ）に示すように、エンドピン１０の先端軸部１７の拡径部１８に隣接させて強力な永久磁石６２を配設する。永久磁石６２はネオジム系などの強力な磁力を有するものが好ましい。永久磁石６２の外径は、拡径部１８の外径と同じ寸法とするのが好ましい。一方、同図（ｂ）に示すように、キャップ２２の穴に圧入される筒状体６４は、磁性体からなる磁着板６６を一体的に備えるのが好ましい。筒状体６４と磁着板６６は、例えば鉄、ニッケル、コバルト、フェライト鋼などからなり、両者を溶接によって接合したり、あるいは鍛造加工によって一体的に形成される。筒状体６４の内径は、エンドピン１０の先端１６の外径より若干大きい程度が好ましい。遊び（隙間）が大きいと、キャップ２２に横方向の外力が作用したとき、エンドピン１０の先端軸部１７とキャップ２２とが永久磁石６２により磁着している箇所で折れ曲がり、磁着が解除されてしまうため、エンドピン１０の先端軸部１７がキャップ２２の穴に圧入された筒状体６４から抜けやすくなる可能性があり、遊びが少ない方が好ましい。筒状体６４の内径が大きい場合は、筒状体６４の内面にコルクやゴムなどからなるシートを張り付けるのが好ましい。
【００３２】
上述の実施形態では、拡径部１８側に永久磁石６２を配置していたが、磁着板６６を永久磁石とし、拡径部１８に磁力により磁着し得る素材を配置しても良い。更に、両者を永久磁石としても良いことは言うまでもない。
【００３３】
次に、本発明の他の実施形態として、図７（ａ）に示すように、エンドピン１０に形成された拡径部１８の近傍の先端軸部１７に斜面からなる周方向の溝６８を設ける。一方、同図（ｂ）に示すように、キャップ２２の穴に一部が圧入された筒状体７０を備える。筒状体７０の入り口近傍部には、周方向に円錐状の孔が複数開けられていて、その複数の円錐状の孔にはそれぞれボール７２が入れられている。円錐状の孔の最小径は、筒状体７０の内周面７４側とされ、孔に入れられたボール７２が筒状体７０の内周面７４側に落下しないように構成されている。筒状体７０の入り口側外周部には、スリーブ７６がスライド可能に配設され、スリーブ７６は圧縮コイルスプリング７８によって付勢されていて、付勢されたスリーブ７６が筒状体７０から脱落しないように、ストップリング８０によって止められている。スリーブ７６の内周側には凸条が形成されていて、この凸条によってボール７２を円錐状の孔に押し込むように構成されている。
【００３４】
かかる構成は周知の構造であるため概略の説明に留めるが、次のように作動させられる。先ず、スリーブ７６を圧縮コイルスプリング７８に抗して図面視左方向にスライドさせることにより、ボール７２をスリーブ７６の凸条から解除させ、周方向外側に動けるようにする。そこで、エンドピン１０の先端軸部１７を筒状体７０の内周面７４に差し込み、拡径部１８が筒状体７０の端面に当接したときにスリーブ７６から手を離すと、圧縮コイルスプリング７８により図面視右方向にスリーブ７６が付勢されて、凸条がボール７２を円錐状の孔の内方に押圧する。圧縮コイルスプリング７８により付勢されているスリーブ７６はストップリング８０に当接して、停止する。ボール７２の一部は円錐状の孔から飛び出し、エンドピン１０の先端軸部１７に形成された溝６８と係合し、エンドピン１０とキャップ２２が離れることはない。エンドピン１０の先端軸部１７からキャップ２２を外すときは、スリーブ７６を圧縮コイルスプリング７８に抗してスライドさせて、エンドピン１０とキャップ２２とを引き離す作動によって可能であり、かかる作動によらない限り、エンドピン１０とキャップ２２とが離れることはない。
【００３５】
上記実施形態において、図７（ａ）に示すエンドピン１０を用い、キャップ側の構成を種々変更することが可能である。例えば同図（ｃ）に示すキャップ２２の穴に挿入される筒状体７０の入り口近傍部には、軸心方向に向かう円錐状の孔が１又は複数箇所に開けられていて、その複数の円錐状の孔にはそれぞれボール７２が入れられる。円錐状の孔の最小径は、筒状体７０の内周面７４側とされ、孔に入れられたボール７２が筒状体７０の内周面７４側に落下しないように構成されている。筒状体７０の入り口側外周部には、ゴム又は樹脂製のキャップ２２の一部が被せられている。すなわち、キャップ２２の一部が、筒状体７０に形成された円錐状の孔とその中に入れられたボール７２の上に被せられ、ボール７２を円錐状の孔に付勢している。
【００３６】
かかる構成において、エンドピン１０の先端１６及び先端軸部１７を筒状体７０に挿入すると、ボール７２に作用する付勢力に抗してボール７２が径方向に押し広げられ、ボール７２とエンドピン１０の溝６８とが係合させられる。したがって、キャップ２２はエンドピン１０に対して回転し得るが、軸方向に動くことはない。
【００３７】
次に、図７（ｃ）に示す実施形態の変形例であるが、同図（ｄ）に示すように、ボール７２の付勢手段としてキャップ２２のゴム又は樹脂の代わりに、圧縮コイルスプリング８２を用いても良い。すなわち、キャップ２２の穴に圧入される筒状体７０に必要に応じて肉厚部７１を設け、その肉厚部７１の側面から軸心方向に向かうボール７２が入る程度の孔を設けるが、内周面７４の近傍部ではボール７２が内周面７４に落下しないように円錐状とされる。厚肉部７１のボール７２及び圧縮コイルスプリング８２の入れられる孔の入口部には雌ネジが形成され、ボール７２が圧縮コイルスプリング８２により付勢された状態で雄ネジ８４によって閉じられている。
【００３８】
かかる実施形態においても、キャップ２２に圧入された筒状体７０に、エンドピン１０の先端１６及び先端軸部１７を差し込むと、ボール７２が先端軸部１７の溝６８と係合させられる。これにより、キャップ２２はエンドピン１０の軸芯周りを回転し得るが、人為的な力を加えない限り軸方向に動くことはない。
【００３９】
次に、本発明の他の実施形態として、図８（ａ）に示すように、エンドピン１０の先端軸部８６の側面に軸心を横切る方向にボール７２が入る程度の孔を設ける。先端軸部８６の外表面近傍部ではボール７２が外部に落下しないように円錐状とされる。先端軸部８６の孔にはボール７２及び圧縮コイルスプリング８２が順に入れられるが、孔の入口部には雌ネジが形成され、ボール７２が圧縮コイルスプリング８２により付勢された状態で雄ネジ８４によって閉じられている。一方、キャップ２２は同図（ｂ）に示すように、筒状体７０の内周面に溝８８が形成されている。溝８８の位置は、筒状体７０にエンドピン１０の先端軸部８６を差し込んだときに、ボール７２が係合する所とされる。本例においても、上述の実施形態と同様の効果が得られる。
【００４０】
次に、本発明の更なる他の実施形態として、図９に示すように、キャップ２２に圧入される筒状体７０と一体的にフック９０を複数箇所に設けて形成しても良い。フック９０の形状は、エンドピン１０の先端軸部１７が筒状体７０に差し込まれたとき、拡径部１８の一部を覆う形状とされる。フック９０の素材は、拡径部１８を差し込んだり、引き抜いたりするとき、フック９０が径方向に開いたり閉じたりし得るようにバネ性を備えているのが好ましい。このような構成により、上述と同様の効果が得られる。
【００４１】
以上、本発明に係るエンドピンのキャップ取付構造について各種実施形態を説明したが、本発明はこれらの実施形態に限定されるものではない。たとえば、図１や図２で説明したリングスプリング２８やＣ字状リング３２は例えば筒状体２４の軸方向２か所に設け、エンドピン１０とキャップ２２を２か所で係合するように構成することも可能である。
【００４２】
これら本発明に係るエンドピンのキャップ取付構造を備えた楽器は、演奏中にエンドピンとキャップとの係合が緩んで長さが変化したり、ガタツキが生じたりすることはなく、演奏のしやすい楽器が得られる。
【００４３】
その他、本発明は、その趣旨を逸脱しない範囲で当業者の知識に基づいて種々なる改良、修正又は変形を加えた態様で実施できる。また、同一の作用又は効果が生じる範囲内で、何れかの発明特定事項を他の技術に置換した形態で実施しても良い。
【符号の説明】
【００４４】
１０、４４：エンドピン
１２：他端部
１６：先端
１７、４６：先端軸部
２０、３６：溝
２２：キャップ
２４、３８、５０、５６、６４，７０：筒状体
２６、３４、５２：内周溝
２８：リングスプリング（係合手段）
３２：Ｃ字状リング（係合手段）
５８：弾性部材（係合手段）
６２：永久磁石（係合手段）
【図１】
2020095207.tif 000003
【図２】
2020095207.tif 000004
【図３】
2020095207.tif 000005
【図４】
2020095207.tif 000006
【図５】
2020095207.tif 000007
【図６】
2020095207.tif 000008
【図７】
2020095207.tif 000009
【図８】
2020095207.tif 000010
【図９】
2020095207.tif 000011
【図１０】
2020095207.tif 000012
【図１１】
2020095207.tif 000013
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの前記キャップが被せられる他端部の先端軸部に周方向に形成された溝又は凸条と、該エンドピンの他端部先端軸部に被せられる前記キャップの穴に設けられた前記溝又は凸条と係脱可能に係合させられる係合手段と
を備えたエンドピンのキャップ取付構造。
【請求項２】
前記係合手段は、前記キャップの穴に入れられる筒状体に設けられた請求項１に記載のエンドピンのキャップ取付構造。
【請求項３】
前記係合手段は、前記キャップの穴又は該穴に設けられた筒状体の内周面に弾性部材を設けた請求項２に記載のエンドピンのキャップ取付構造。
【請求項４】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記キャップの穴部に入れられた筒状体に備えた磁着板と、
前記エンドピンの先端軸部に設けられた拡径部に配設された永久磁石と、
から構成される係合手段を備え、
前記エンドピンの先端軸部が筒状体に隙間なく挿入し得るように構成したエンドピンのキャップ取付構造。
【請求項５】
前記係合手段は、前記筒状体に備えた磁着板が永久磁石とされ、前記拡径部に配設された永久磁石が永久磁石又は磁着板とされた請求項４に記載のエンドピンのキャップ取付構造。
【請求項６】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの先端軸部に、該先端軸部の軸心を横切る方向にボールと圧縮コイルスプリングと雌ネジが配設され、
前記キャップの穴部に入れられた筒状体の内周面に形成された溝と
からなる係合手段を備えたエンドピンのキャップ取付構造。
【請求項７】
前記請求項１から６までのいずれか１項に記載のエンドピンのキャップ取付構造を用いた楽器。
【手続補正２】
【補正対象書類名】明細書
【補正対象項目名】００１１
【補正方法】変更
【補正の内容】
【００１１】
また、本発明に係るエンドピンのキャップ取付構造において、楽器本体の下部に取り付けられて一端部が楽器本体の内部に収納され、他端部の先端が床面に接して該床面に振動を伝えると共に楽器本体を支持するエンドピンと、該エンドピンの他端部の先端及び先端軸部に被せられる穴を有するキャップとを備え、前記キャップの穴部に入れられた筒状体に備えた磁着板と、前記エンドピンの先端軸部に設けられた拡径部に配設された永久磁石と、から構成される係合手段を備え、前記エンドピンの先端軸部が筒状体に隙間なく挿入し得るように構成したことにある。
かかるエンドピンのキャップ取付構造において、前記係合手段は、前記筒状体に備えた磁着板が永久磁石とされ、前記拡径部に配設された永久磁石が永久磁石又は磁着板とされたことにある。
更に、本発明に係るエンドピンのキャップ取付構造において、楽器本体の下部に取り付けられて一端部が楽器本体の内部に収納され、他端部の先端が床面に接して該床面に振動を伝えると共に楽器本体を支持するエンドピンと、該エンドピンの他端部の先端及び先端軸部に被せられる穴を有するキャップとを備え、前記エンドピンの先端軸部に、該先端軸部の軸心を横切る方向にボールと圧縮コイルスプリングと雌ネジが配設され、前記キャップの穴部に入れられた筒状体の内周面に形成された溝とからなる係合手段を備えたことにある。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの前記キャップが被せられる他端部の先端軸部に円周方向に形成された溝又は凸条と、該エンドピンの他端部先端軸部に被せられる前記キャップの穴に入れられた筒状体に設けられた前記溝又は凸条と係脱可能に係合させられる係合手段と
を備えたエンドピンのキャップ取付構造。
【請求項２】
前記係合手段は、前記筒状体の一端に内周面に突き出す係合凸部又は内周溝を設けると共に軸方向に複数のスリットを設けた請求項１に記載のエンドピンのキャップ取付構造。
【請求項３】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの前記キャップが被せられる他端部の先端軸部に円周方向に形成された溝と、該エンドピンの他端部先端軸部に被せられる前記キャップの穴に入れられた筒状体に設けられた内周溝と、前記溝と内周溝とに係脱可能に係合させられるリングスプリング又はC字状リングとを備えた係合手段と
を備えたエンドピンのキャップ取付構造。
【請求項４】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記キャップの穴部に入れられた筒状体に備えた磁着板と、
前記エンドピンの先端軸部に設けられた拡径部に配設された永久磁石と、
から構成される係合手段を備え、
前記エンドピンの先端軸部が筒状体に隙間なく挿入し得るように構成したエンドピンのキャップ取付構造。
【請求項５】
前記係合手段は、前記筒状体に備えた磁着板が永久磁石とされ、前記拡径部に配設された永久磁石が永久磁石又は磁着板とされた請求項４に記載のエンドピンのキャップ取付構造。
【請求項６】
楽器本体の下部に取り付けられて一端部が楽器本体の内部に収納され、他端部の先端が床面に接して該床面に振動を伝えると共に楽器本体を支持するエンドピンと、
該エンドピンの他端部の先端及び先端軸部に被せられる穴を有するキャップと
を備え、
前記エンドピンの先端軸部に、該先端軸部の軸心を横切る方向にボールと圧縮コイルスプリングと雌ネジが配設され、
前記キャップの穴部に入れられた筒状体の内周面に形成された溝と
からなる係合手段を備えたエンドピンのキャップ取付構造。
【請求項７】
前記請求項１から６までのいずれか１項に記載のエンドピンのキャップ取付構造を用いた楽器。
【手続補正２】
【補正対象書類名】明細書
【補正対象項目名】０００８
【補正方法】変更
【補正の内容】
【０００８】
本発明に係るエンドピンのキャップ取付構造は、楽器本体の下部に取り付けられて一端部が楽器本体の内部に収納され、他端部の先端が床面に接して該床面に振動を伝えると共に楽器本体を支持するエンドピンと、該エンドピンの他端部の先端及び先端軸部に被せられる穴を有するキャップとを備え、
前記エンドピンの前記キャップが被せられる他端部の先端軸部に円周方向に形成された溝又は凸条と、該エンドピンの他端部先端軸部に被せられる前記キャップの穴に入れられた筒状体に設けられた前記溝又は凸条と係脱可能に係合させられる係合手段とを備えたことにある。
【手続補正３】
【補正対象書類名】明細書
【補正対象項目名】０００９
【補正方法】変更
【補正の内容】
【０００９】
本発明に係るエンドピンのキャップ取付構造において、前記係合手段は、前記筒状体の一端に内周面に突き出す係合凸部又は内周溝を設けると共に軸方向に複数のスリットを設けたことにある。
【手続補正４】
【補正対象書類名】明細書
【補正対象項目名】００１０
【補正方法】変更
【補正の内容】
【００１０】
また、本発明に係るエンドピンのキャップ取付構造は、楽器本体の下部に取り付けられて一端部が楽器本体の内部に収納され、他端部の先端が床面に接して該床面に振動を伝えると共に楽器本体を支持するエンドピンと、該エンドピンの他端部の先端及び先端軸部に被せられる穴を有するキャップとを備え、
前記エンドピンの前記キャップが被せられる他端部の先端軸部に円周方向に形成された溝と、該エンドピンの他端部先端軸部に被せられる前記キャップの穴に入れられた筒状体に設けられた内周溝と、前記溝と内周溝とに係脱可能に係合させられるリングスプリング又はC字状リングとを備えた係合手段とを備えたことにある。